(57)【特許請求の範囲】
【請求項１】
ショーケース内を冷却する冷却回路の圧縮機の駆動を自動制御する圧縮機駆動制御手段とショーケース内の除霜を行う除霜回路の駆動を自動制御する除霜制御手段とを備え且つ同一電源に対して互いに並列接続され、該電源より駆動電力の供給を受ける２台以上の冷凍・冷蔵ショーケースの連結運転方法において、
前記圧縮機駆動制御手段は、
全てのショーケースの除霜中データが非除霜中状態に設定されているときに前記圧縮機の駆動を可能とすると共に何れかのショーケースの前記除霜中データが除霜中状態に設定されているときに前記圧縮機の駆動を不可能とし、
自己の圧縮機起動データを他のショーケースに送信すると共に他のショーケースから送信された圧縮機起動データを受信し、
前記全てのショーケースの除霜中データが非除霜中状態に設定されており、且つ前記圧縮機の駆動を開始する所定の起動条件になったときに、前記自己の圧縮機起動データを起動状態に設定して他のショーケースに送信し、
さらに、前記他のショーケースから受信した圧縮機起動データが非起動状態のときに圧縮機を起動すると共に起動時から所定時間経過後に前記自己の圧縮機起動データを非起動状態に設定して送信し、
前記他のショーケースから受信した圧縮機起動データが起動状態のときは、該圧縮機起動データが非起動状態に設定された後に圧縮機を起動し、
前記除霜制御手段は、
除霜開始データと除霜中データを他のショーケースに送信すると共に他のショーケースから送信された除霜開始データと除霜中データを受信し、
前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信し、
また、前記他のショーケースから受信した除霜開始データが開始状態であり且つ前記除霜中データが除霜中状態であるときは、前記除霜開始データを非開始状態に設定し且つ前記除霜中データを除霜中状態に設定して送信すると共に前記除霜回路の駆動を開始し、
所定の除霜終了条件になったときに、前記除霜回路の駆動を停止すると共に前記除霜中データを非除霜中状態に設定して送信することによって同期を可能にする
ことを特徴とするショーケースの連結運転方法。
【請求項２】
ショーケース内を冷却する冷却回路の圧縮機の駆動を自動制御する圧縮機駆動制御手段とショーケース内の除霜を行う除霜回路の駆動を自動制御する除霜制御手段とを備え且つ同一電源に対して互いに並列接続され、該電源より駆動電力の供給を受ける２台以上の冷凍・冷蔵ショーケースの連結運転方法において、
前記除霜制御手段は、
除霜開始データと除霜中データを他のショーケースに送信すると共に他のショーケースから送信された除霜開始データと除霜中データを受信し、
前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信し、
また、前記他のショーケースから受信した除霜開始データが開始状態であり且つ前記除霜中データが除霜中状態であるときは、前記除霜開始データを非開始状態に設定し且つ前記除霜中データを除霜中状態に設定して送信すると共に前記除霜回路の駆動を開始し、
所定の除霜終了条件になったときに、前記除霜回路の駆動を停止すると共に前記除霜中データを非除霜中状態に設定して送信することによって同期を可能にする
ことを特徴とするショーケースの連結運転方法。
【請求項３】
ショーケース内を冷却する冷却回路の圧縮機の駆動を自動制御する圧縮機駆動制御手段とショーケース内の除霜を行う除霜回路の駆動を自動制御する除霜制御手段とを備えた冷凍・冷蔵ショーケースにおいて、
自己の圧縮機起動データを他のショーケースに送信する手段と、
他のショーケースから送信された圧縮機起動データを受信する手段と、
自己の除霜開始データと自己の除霜中データを他のショーケースに送信する手段と、
他のショーケースから送信された除霜開始データと除霜中データを受信する手段と、
前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信する手段と、
前記他のショーケースから受信した除霜開始データが開始状態であり且つ前記除霜中データが除霜中状態であるときに、前記除霜開始データを非開始状態に設定し且つ前記除霜中データを除霜中状態に設定して送信すると共に前記除霜回路の駆動を開始する手段と、
所定の除霜終了条件になったときに、前記除霜回路の駆動を停止すると共に前記除霜中データを非除霜中状態に設定して送信することによって同期除霜を可能にする手段と、
全てのショーケースの除霜中データが非除霜中状態に設定されているときに前記圧縮機の駆動を可能にすると共に何れかのショーケースの前記除霜中データが除霜中状態に設定されているときに前記圧縮機の駆動を不可能にする手段と、
前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが非起動状態であるときに圧縮機を起動すると共に、前記圧縮機の起動時から所定時間経過後に前記自己の圧縮機起動データを非起動状態に設定して送信する手段と、
前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが起動状態のときは、該圧縮機起動データが非起動状態に設定された後に圧縮機を起動する手段とを有する
ことを特徴とするショーケース。
【請求項４】
ショーケース内を冷却する冷却回路の圧縮機の駆動を自動制御する圧縮機駆動制御手段とショーケース内の除霜を行う除霜回路の駆動を自動制御する除霜制御手段とを備えた冷凍・冷蔵ショーケースにおいて、
自己の除霜開始データと自己の除霜中データを他のショーケースに送信する手段と、
他のショーケースから送信された除霜開始データと除霜中データを受信する手段と、
前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信する手段と、
前記他のショーケースから受信した除霜開始データが開始状態であり且つ前記除霜中データが除霜中状態であるときに、前記除霜開始データを非開始状態に設定し且つ前記除霜中データを除霜中状態に設定して送信すると共に前記除霜回路の駆動を開始する手段と、
所定の除霜終了条件になったときに、前記除霜回路の駆動を停止すると共に前記除霜中データを非除霜中状態に設定して送信することによって同期除霜を可能にする手段とを有する
ことを特徴とするショーケース。
【請求項５】
ショーケース内を冷却する冷却回路の圧縮機の駆動を自動制御する圧縮機駆動制御手段とショーケース内の除霜を行う除霜回路の駆動を自動制御する除霜制御手段とを備え且つ同一電源に対して互いに並列接続され、該電源より駆動電力の供給を受ける２台以上の冷凍・冷蔵ショーケースの連結運転方法において、
前記圧縮機駆動制御手段は、
自己の圧縮機起動データを他のショーケースに送信すると共に他のショーケースから送信された圧縮機起動データを受信し、
前記全てのショーケースの除霜中データが非除霜中状態に設定されており、且つ前記圧縮機の駆動を開始する所定の起動条件になったときに、前記自己の圧縮機起動データを起動状態に設定して他のショーケースに送信し、
さらに、前記他のショーケースから受信した圧縮機起動データが非起動状態のときに圧縮機を起動すると共に起動時から所定時間経過後に前記自己の圧縮機起動データを非起動状態に設定して送信し、
前記他のショーケースから受信した圧縮機起動データが起動状態のときは、該圧縮機起動データが非起動状態に設定された後に圧縮機を起動し、
該圧縮機起動データが所定時間経過後においても起動状態であるときは、予め定められたショーケース側の圧縮機を起動することによって、圧縮機の同時起動を防止する
ことを特徴とするショーケースの連結運転方法。
【請求項６】
ショーケース内を冷却する冷却回路の圧縮機の駆動を自動制御する圧縮機駆動制御手段とショーケース内の除霜を行う除霜回路の駆動を自動制御する除霜制御手段とを備えた冷凍・冷蔵ショーケースにおいて、
自己の圧縮機起動データを他のショーケースに送信する手段と、
他のショーケースから送信された圧縮機起動データを受信する手段と、
自己の除霜中データを他のショーケースに送信する手段と、
前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが非起動状態であるときに圧縮機を起動すると共に、前記圧縮機の起動時から所定時間経過後に前記自己の圧縮機起動データを非起動状態に設定して送信し、前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが起動状態のときは、該圧縮機起動データが非起動状態に設定された後に圧縮機を起動し、該圧縮機起動データが所定時間経過後においても起動状態であるときは、予め定められたショーケース側の圧縮機を起動することによって、圧縮機の同時起動を防止する手段とを有する
ことを特徴とするショーケース。
【発明の詳細な説明】
【０００１】
【発明の属する技術分野】
本発明は、スーパーマーケット等の店舗において、同型の冷凍・冷蔵ショーケースを２台以上連結して、１台のショーケースのように運転するショーケースの連結運転方法及びショーケースに関するものである。
【０００２】
【従来の技術】
従来、スパーマーケット等の店舗において複数の冷凍・冷蔵ショーケースを使用する場合、１つの商用電源（ＡＣ電源）から隣接された２台以上のショーケースへ電力を供給して駆動することがある。
【０００３】
この場合、圧縮機の起動時には瞬間的に大きな電流が圧縮機に流れるので、同一電源から電力供給を受けている２台以上のショーケースにおいて圧縮機が同時に起動されると、圧縮機が起動された瞬間に商用電源の負荷が大きくなり、ブレーカーが遮断されたりヒューズが切れることがある。
【０００４】
また、隣接された一方のショーケース内の除霜を行いながら他方のショーケースで冷却運転を行うと、隣接されたショーケース間での熱伝導の影響によって除霜効率と冷却効率が低下して、無駄な電力を消費してしまう。
【０００５】
これらを防止するために、それぞれのショーケースを図２に示すように構成していた。図２は１つの商用電源（ＡＣ電源）２から電力が供給されて駆動する２台の冷凍・冷蔵ショーケース（以下、単にショーケースと称する）１Ａ，１Ｂを隣接して設置した場合を示している。
【０００６】
ショーケース１Ａ，１Ｂは、それぞれ、制御部１１と、圧縮機１２ａを有する冷却回路１２と、除霜ヒータ１３、操作部１４、温度調整用サーミスタ１５、除霜復帰用サーミスタ１６、温度設定用可変抵抗器１７を備えている。
【０００７】
制御部１１は、マイクロコンピュータ111と、リレー駆動回路112、リレー113,114、圧縮機駆動状態判定回路115、除霜ヒータ駆動判定回路116を備えている。
【０００８】
マイクロコンピュータ111は、メモリ111aとタイマ111bを有し、予め設定されているプログラムに基づいて圧縮機１２ａと除霜ヒータ１３の駆動を制御する。また、マイクロコンピュータ111は、圧縮機１２ａと除霜ヒータ１３の駆動を制御する際に、温度調整用サーミスタ１５による検知温度と、除霜復帰用サーミスタ１６による検知温度、温度設定用可変抵抗器１７の設定値、圧縮機駆動状態判定回路115による判定結果、除霜ヒータ駆動判定回路116による判定結果に基づいて駆動制御を行う。
【０００９】
リレー駆動回路112は、マイクロコンピュータ111からの制御信号に基づいてリレー113,114のオン状態とオフ状態と切り換えて、リレー113をオン状態に設定することにより圧縮機１２ａを駆動し、リレー114をオン状態に設定することにより除霜ヒータ１３を駆動する。
【００１０】
圧縮機駆動状態判定回路115は、２つの入力端子間の電位差に基づいて、他方のショーケース１の圧縮機１２ａが駆動中であるか否を検出し、この検出結果をマイクロコンピュータ111に出力する。
【００１１】
除霜ヒータ駆動判定回路116は、２つの入力端子間の電位差に基づいて、他方のショーケース１の除霜ヒータ１３が駆動中であるか否を検出し、この検出結果をマイクロコンピュータ111に出力する。
【００１２】
操作部１４は、時計合わせスイッチ141と、設定切替スイッチ142、DOWNスイッチ143、UPスイッチ144、ＬＥＤ145、３桁の７セグメント文字表示器146とを備え、各スイッチ141〜144のオンオフ信号をマイクロコンピュータ111に出力すると共に、マイクロコンピュータ111から出力されたＬＥＤ点灯信号によってＬＥＤ145を点灯させると共に、信号をマイクロコンピュータ111から出力された表示信号によって文字表示器146に数字或いはアルファベットを表示する。
【００１３】
また、ショーケース１（１Ａ，１Ｂ）において、電源接続端子３ａ，３ｂはＡＣ電源２に接続されると共に、一方の電源接続端子３ａはリレー113の接点とリレー114の接点に接続され、他方の電源接続端子３ｂは圧縮機駆動状態判定回路115の一方の入力端子と、除霜ヒータ駆動判定回路116の一方の入力端子、圧縮機１２ａの一方の電源接続端子、除霜ヒータ１３の一方の電源接続端子に接続されている。
【００１４】
また、圧縮機駆動状態判定回路115の他方の入力端子は端子３ｄに接続され、除霜ヒータ駆動判定回路116の他方の入力端子は端子３ｆに接続されている。
【００１５】
圧縮機１２ａの他方の電源接続端子は、リレー113の接片と端子３ｃに接続され、除霜ヒータ１３の他方の電源接続端子は、リレー114の接片と端子３ｅに接続されている。
【００１６】
さらに、ショーケース１Ａとショーケース１Ｂとの間では、ショーケース１Ａの端子３ｃ，３ｄ，３ｅ，３ｆがショーケース１Ｂの端子３ｄ，３ｃ，３ｆ，３ｅに記述の順に接続されている。
【００１７】
従って、一方のショーケース１の圧縮機駆動状態判定回路115の入力端子には、他方のショーケース１の圧縮機１２ａの２つの電源接続端子の電圧が印加される。さらに、一方のショーケース１の除霜ヒータ駆動判定回路116の入力端子には、他方のショーケース１の除霜ヒータ１３の２つの電源接続端子の電圧が印加される。
【００１８】
上記構成によって、マイクロコンピュータ111は、圧縮機１２ａの同時起動を防止するため、他方のショーケース１の圧縮機１２ａの運転状態を判定して圧縮機１２ａを起動すると共に、他方のショーケース１が冷却運転中に除霜運転を行うことがないように、他方のショーケース１の除霜ヒータ１３への通電状態を判定して除霜ヒータ１３への通電を行っていた。
【００１９】
また、他の例として、除霜ヒータ駆動判定回路116を備えていないショーケースの場合、マイクロコンピュータ111は、ショーケース１内の除霜を、タイマ111bの計時が予め設定された時刻になると開始する。これにより、他方のショーケース１が冷却運転中に除霜運転を行うことがない。
【００２０】
【発明が解決しようとする課題】
しかしながら、前述した従来例では、一方のショーケース１の圧縮機駆動状態判定回路115と除霜ヒータ駆動判定回路116のそれぞれに、他方の圧縮機１２ａの電源接続端子に印加される電圧と除霜ヒータ１３の電源接続端子に印加される電圧を入力しなければならないため、ショーケース内部において他方のショーケースからの接続線の本数が多くなると共に電圧が高いので、両ショーケースを接続する電線として太い線を使用する必要があり、配線の処理が煩雑になっていた。
【００２１】
さらに、圧縮機駆動状態判定回路115と除霜ヒータ駆動判定回路116は高電圧回路になるため、制御部１１内の部品間の絶縁距離を大きくする必要があり、制御部１１の小型化への弊害になっていた。
【００２２】
また、後者の従来例においては、一方のショーケース１の時計合わせを行った場合は、他方のショーケースの時計も同時に合わせなければならい煩雑さがあった。
【００２３】
本発明の目的は上記の問題点に鑑み、ショーケース間の配線を簡略化すると共に制御部の小型化が可能なショーケースの連結運転方法及びショーケースを提供することである。
【００２４】
【課題を解決するための手段】
本発明は上記の目的を達成するために請求項１では、ショーケース内を冷却する冷却回路の圧縮機の駆動を自動制御する圧縮機駆動制御手段とショーケース内の除霜を行う除霜回路の駆動を自動制御する除霜制御手段とを備え且つ同一電源に対して互いに並列接続され、該電源より駆動電力の供給を受ける２台以上の冷凍・冷蔵ショーケースの連結運転方法において、前記圧縮機駆動制御手段は、全てのショーケースの除霜中データが非除霜中状態に設定されているときに前記圧縮機の駆動を可能とすると共に何れかのショーケースの前記除霜中データが除霜中状態に設定されているときに前記圧縮機の駆動を不可能とし、自己の圧縮機起動データを他のショーケースに送信すると共に他のショーケースから送信された圧縮機起動データを受信し、前記全てのショーケースの除霜中データが非除霜中状態に設定されており、且つ前記圧縮機の駆動を開始する所定の起動条件になったときに、前記自己の圧縮機起動データを起動状態に設定して他のショーケースに送信し、さらに、前記他のショーケースから受信した圧縮機起動データが非起動状態のときに圧縮機を起動すると共に起動時から所定時間経過後に前記自己の圧縮機起動データを非起動状態に設定して送信し、前記他のショーケースから受信した圧縮機起動データが起動状態のときは、該圧縮機起動データが非起動状態に設定された後に圧縮機を起動し、前記除霜制御手段は、除霜開始データと除霜中データを他のショーケースに送信すると共に他のショーケースから送信された除霜開始データと除霜中データを受信し、前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信し、また、前記他のショーケースから受信した除霜開始データが開始状態であり且つ前記除霜中データが除霜中状態であるときは、前記除霜開始データを非開始状態に設定し且つ前記除霜中データを除霜中状態に設定して送信すると共に前記除霜回路の駆動を開始し、所定の除霜終了条件になったときに、前記除霜回路の駆動を停止すると共に前記除霜中データを非除霜中状態に設定して送信することによって同期を可能にするショーケースの連結運転方法を提案する。
【００２５】
上記ショーケースの連結運転方法によれば、前記２台以上のショーケースの内の何れかのショーケースが圧縮機を起動するときは前記圧縮機起動データが起動状態に設定されて他のショーケースに送信され、他のショーケースでは前記圧縮機起動データが非起動状態に設定されてから圧縮機が起動されるので２台以上のショーケースの圧縮機が同時に起動されることがない。
【００２６】
また、前記２台以上のショーケースの何れかの除霜回路の駆動が開始されるときに前記除霜開始データが開始状態に設定されると共に前記除霜中データが除霜中に設定され、これらのデータを受信した他のショーケースにおいても除霜回路の駆動が開始される。
【００２７】
さらに、前記２台以上のショーケースの何れかの除霜回路が駆動されているときは、前記除霜中データが除霜中状態に設定されており、全てのショーケースにおいて除霜が終了しない限り、何れのショーケースにおいても圧縮機が駆動されることがない。
【００２８】
また、上記各データは低電圧の信号で良いので、低電圧用の信号線による伝送が可能であるため、従来例のような高電圧用の太い配線を用いてショーケース間を接続する必要がない。
【００２９】
また、請求項２では、ショーケース内を冷却する冷却回路の圧縮機の駆動を自動制御する圧縮機駆動制御手段とショーケース内の除霜を行う除霜回路の駆動を自動制御する除霜制御手段とを備え２台以上の冷凍・冷蔵ショーケースの連結運転方法において、前記除霜制御手段は、除霜開始データと除霜中データを他のショーケースに送信すると共に他のショーケースから送信された除霜開始データと除霜中データを受信し、前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信し、また、前記他のショーケースから受信した除霜開始データが開始状態であり且つ前記除霜中データが除霜中状態であるときは、前記除霜開始データを非開始状態に設定し且つ前記除霜中データを除霜中状態に設定して送信すると共に前記除霜回路の駆動を開始し、所定の除霜終了条件になったときに、前記除霜回路の駆動を停止すると共に前記除霜中データを非除霜中状態に設定して送信することによって同期を可能にするショーケースの連結運転方法を提案する。
【００３０】
上記ショーケースの連結運転方法によれば、前記２台以上のショーケースの何れかの除霜回路の駆動が開始されるときに前記除霜開始データが開始状態に設定されると共に前記除霜中データが除霜中に設定され、これらのデータを受信した他のショーケースにおいても除霜回路の駆動が開始される。さらに、前記２台以上のショーケースの何れかの除霜回路が駆動されているときは、前記除霜中データが除霜中状態に設定されており、全てのショーケースにおいて除霜が終了しない限り、何れのショーケースにおいても圧縮機が駆動されることがない。また、上記各データは低電圧の信号で良いので、低電圧用の信号線による伝送が可能であるため、従来例のような高電圧用の太い配線を用いてショーケース間を接続する必要がない。
【００３１】
また、請求項３では、ショーケース内を冷却する冷却回路の圧縮機の駆動を自動制御する圧縮機駆動制御手段とショーケース内の除霜を行う除霜回路の駆動を自動制御する除霜制御手段とを備えた冷凍・冷蔵ショーケースにおいて、自己の圧縮機起動データを他のショーケースに送信する手段と、他のショーケースから送信された圧縮機起動データを受信する手段と、自己の除霜開始データと自己の除霜中データを他のショーケースに送信する手段と、他のショーケースから送信された除霜開始データと除霜中データを受信する手段と、前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信する手段と、前記他のショーケースから受信した除霜開始データが開始状態であり且つ前記除霜中データが除霜中状態であるときに、前記除霜開始データを非開始状態に設定し且つ前記除霜中データを除霜中状態に設定して送信すると共に前記除霜回路の駆動を開始する手段と、所定の除霜終了条件になったときに、前記除霜回路の駆動を停止すると共に前記除霜中データを非除霜中状態に設定して送信することによって同期除霜を可能にする手段と、全てのショーケースの除霜中データが非除霜中に設定されているときに前記圧縮機の駆動を可能にすると共に何れかのショーケースの前記除霜中データが除霜中状態に設定されているときに前記圧縮機の駆動を不可能にする手段と、前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが非起動状態であるときに圧縮機を起動すると共に、前記圧縮機の起動時から所定時間経過後に前記自己の圧縮機起動データを非起動状態に設定して送信する手段と、前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが起動状態のときは、該圧縮機起動データが非起動状態に設定された後に圧縮機を起動する手段とを有するショーケースを提案する。
【００３２】
上記ショーケースによれば、ショーケースが圧縮機を起動するときは前記圧縮機起動データが起動状態に設定されて他のショーケースに送信され、他のショーケースでは前記圧縮機起動データが非起動状態に設定されてから圧縮機が起動されるので２台以上のショーケースの圧縮機が同時に起動されることがない。
【００３３】
このため、１つの電源に並列接続した２台以上のショーケースに対して前記電源から電力を供給する場合、前記２台以上のショーケースの圧縮機が同時に起動されることがない。
【００３４】
また、上記ショーケースを２台以上連結して運転する場合、前記２台以上のショーケースの何れかの除霜回路の駆動が開始されるときに前記除霜開始データが開始状態に設定されると共に前記除霜中データが除霜中に設定され、これらのデータを受信した他のショーケースにおいても除霜回路の駆動が開始される。
【００３５】
さらに、前記２台以上のショーケースの何れかの除霜回路が駆動されているときは、前記除霜中データが除霜中状態に設定されており、他のショーケースにおいて除霜が終了しても何れのショーケースにおいても圧縮機が駆動されることがない。
【００３６】
また、上記各データは低電圧の信号で良いので、低電圧用の信号線による伝達が可能であるため、従来例のような高電圧用の太い配線を用いてショーケース間を接続する必要がない。
【００３７】
また、請求項４では、ショーケース内を冷却する冷却回路とショーケース内の除霜を行う除霜回路の駆動を自動制御する除霜制御手段とを備えた冷凍・冷蔵ショーケースにおいて、自己の除霜開始データと自己の除霜中データを他のショーケースに送信する手段と、他のショーケースから送信された除霜開始データと除霜中データを受信する手段と、前記除霜回路の駆動を開始する所定の起動条件になったときに、前記除霜開始データを開始状態に設定し且つ前記除霜中データを除霜中状態に設定して他のショーケースに送信すると共に前記除霜回路を駆動し、前記除霜回路の駆動を開始してから所定時間経過後に前記除霜開始データを非開始状態に設定して送信する手段と、前記他のショーケースから受信した除霜開始データが開始状態であり且つ前記除霜中データが除霜中状態であるときに、前記除霜開始データを非開始状態に設定し且つ前記除霜中データを除霜中状態に設定して送信すると共に前記除霜回路の駆動を開始する手段と、所定の除霜終了条件になったときに、前記除霜回路の駆動を停止すると共に前記除霜中データを非除霜中状態に設定して送信することによって同期除霜を可能にする手段とを有するショーケースを提案する。
【００３８】
上記ショーケースによれば、２台以上のショーケースの何れかの除霜回路の駆動が開始されるときに前記除霜開始データが開始状態に設定されると共に前記除霜中データが除霜中に設定され、これらのデータを受信した他のショーケースにおいても除霜回路の駆動が開始される。さらに、２台以上のショーケースの何れかの除霜回路が駆動されているときは、前記除霜中データが除霜中状態に設定されており、全てのショーケースにおいて除霜が終了しない限り、何れのショーケースにおいても圧縮機が駆動されることがない。また、上記各データは低電圧の信号で良いので、低電圧用の信号線による伝送が可能であるため、従来例のような高電圧用の太い配線を用いてショーケース間を接続する必要がない。
【００３９】
また、請求項５では、ショーケース内を冷却する冷却回路の圧縮機の駆動を自動制御する圧縮機駆動制御手段とショーケース内の除霜を行う除霜回路の駆動を自動制御する除霜制御手段とを備え且つ同一電源に対して互いに並列接続され、該電源より駆動電力の供給を受ける２台以上の冷凍・冷蔵ショーケースの連結運転方法において、前記圧縮機駆動制御手段は、自己の圧縮機起動データを他のショーケースに送信すると共に他のショーケースから送信された圧縮機起動データを受信し、前記全てのショーケースの除霜中データが非除霜中状態に設定されており、且つ前記圧縮機の駆動を開始する所定の起動条件になったときに、前記自己の圧縮機起動データを起動状態に設定して他のショーケースに送信し、さらに、前記他のショーケースから受信した圧縮機起動データが非起動状態のときに圧縮機を起動すると共に起動時から所定時間経過後に前記自己の圧縮機起動データを非起動状態に設定して送信し、前記他のショーケースから受信した圧縮機起動データが起動状態のときは、該圧縮機起動データが非起動状態に設定された後に圧縮機を起動し、該圧縮機起動データが所定時間経過後においても起動状態であるときは、予め定められたショーケース側の圧縮機を起動することによって、圧縮機の同時起動を防止するショーケースの連結運転方法を提案する。
【００４０】
上記ショーケースの連結運転方法によれば、前記２台以上のショーケースの内の何れかのショーケースが圧縮機を起動するときは前記圧縮機起動データが起動状態に設定されて他のショーケースに送信され、他のショーケースでは前記圧縮機起動データが非起動状態に設定されてから圧縮機が起動されるので２台以上のショーケースの圧縮機が同時に起動されることがない。
【００４１】
また、請求項６では、ショーケース内を冷却する冷却回路の圧縮機の駆動を自動制御する圧縮機駆動制御手段とショーケース内の除霜を行う除霜回路の駆動を自動制御する除霜制御手段とを備えた冷凍・冷蔵ショーケースにおいて、自己の圧縮機起動データを他のショーケースに送信する手段と、他のショーケースから送信された圧縮機起動データを受信する手段と、自己の除霜中データを他のショーケースに送信する手段と、前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが非起動状態であるときに圧縮機を起動すると共に、前記圧縮機の起動時から所定時間経過後に前記自己の圧縮機起動データを非起動状態に設定して送信し、前記全てのショーケースの除霜中データが非除霜中状態に設定されており且つ前記圧縮機の駆動を開始する所定の起動条件になったときに、前記自己の圧縮機起動データを起動状態に設定して他のショーケースに送信し、前記他のショーケースから受信した圧縮機起動データが起動状態のときは、該圧縮機起動データが非起動状態に設定された後に圧縮機を起動し、該圧縮機起動データが所定時間経過後においても起動状態であるときは、予め定められたショーケース側の圧縮機を起動することによって、圧縮機の同時起動を防止する手段とを有するショーケースを提案する。
【００４２】
上記ショーケースによれば、２台以上のショーケースの内の何れかのショーケースが圧縮機を起動するときは前記圧縮機起動データが起動状態に設定されて他のショーケースに送信され、他のショーケースでは前記圧縮機起動データが非起動状態に設定されてから圧縮機が起動されるので２台以上のショーケースの圧縮機が同時に起動されることがない。
【００４３】
【発明の実施の形態】
以下、図面に基づいて、本発明の一実施形態を説明する。
【００４４】
図１は本発明の一実施形態におけるショーケースの構成及びショーケース間の接続構成を示す図である。図において、前述した従来例と同一構成部分は同一符号をもって表す。
【００４５】
本実施形態では、従来例と同様に２台の冷凍・冷蔵ショーケース（以下、単にショーケースと称する）１Ａ，１Ｂに対して同一のＡＣ電源２から電力を供給し、ショーケース１Ａ，１Ｂを連結して運転する場合に関して説明する。
【００４６】
また、本実施形態と従来例との相違点は、従来例における圧縮機駆動状態判定回路115と除霜ヒータ駆動判定回路116に代えて、本実施形態では通信回路117を備えると共にマイクロコンピュータ111のプログラムを変更したことである。
【００４７】
即ち、図１に示すように、本実施形態のショーケース１（１Ａ，１Ｂ）は、制御部１１と、圧縮機１２ａを有する冷却回路１２と、除霜ヒータ（除霜回路）１３、操作部１４、温度調整用サーミスタ１５、除霜復帰用サーミスタ１６、温度設定用可変抵抗器１７を備えている。
【００４８】
制御部１１は、マイクロコンピュータ111と、リレー駆動回路112、リレー113,114、通信回路117を備えている。
【００４９】
マイクロコンピュータ111は、メモリ111aとタイマ（時計回路）111bを有し、予め設定されているプログラムに基づいて圧縮機１２ａと除霜ヒータ１３の駆動を制御する。
【００５０】
マイクロコンピュータ111は、操作員によって操作部１４から時計データが入力されたときに、この時計データに基づいてタイマ111bの時計データを更新すると共に、入力された時計データを他のショーケース１に対して通信回路117を介して送信する。さらに、他のショーケース１から時計データを受信したときは、この時計データに基づいてタイマ111bの時計データを更新する。
【００５１】
また、マイクロコンピュータ111は、圧縮機１２ａと除霜ヒータ１３の駆動を制御する際に、温度調整用サーミスタ１５による検知温度と、除霜復帰用サーミスタ１６による検知温度、温度設定用可変抵抗器１７の設定値、通信回路117を用いた他のショーケース１との通信データに基づいて駆動制御を行う。
【００５２】
さらに、マイクロコンピュータ111は、次の(1)〜(5)のデータを通信回路117を介して他のショーケース１の通信回路117に送信すると共に、これらと同じデータを他のショーケース１から受信し、これらのデータに基づいて圧縮機１２ａと除霜ヒータ１３の駆動を制御すると共に時計データの更新処理を行う。
【００５３】
(1) 圧縮機起動データ：
マイクロコンピュータ111は、圧縮機１２ａの駆動を開始する所定の起動条件になったときに、圧縮機起動データを「１（起動状態）」に設定して他のショーケース１に送信する。また、他のショーケース１から後述する圧縮機起動データの要求データを受信したときに自己の圧縮機起動データを他のショーケース１に送信する。
【００５４】
(2) 除霜開始データ：
マイクロコンピュータ111は、除霜ヒータ１３を駆動して除霜を開始するときに、除霜開始データを「１（除霜開始状態）」に設定して他のショーケース１に送信し、この後、他のショーケース１から受信した除霜開始除霜中データが「１（除霜中状態）」に設定されていることを確認してから除霜開始データを「０（非除霜開始状態）」に設定して他のショーケース１に送信する。
【００５５】
(3) 除霜中データ：
マイクロコンピュータ111は、除霜ヒータ１３を駆動して除霜を開始するとき、及び他のショーケース１から受信した除霜開始データが「１（除霜開始状態）」に設定されているときに、除霜中データを「１（除霜中状態）」に設定して他のショーケース１に送信する。
【００５６】
(4) 圧縮機起動データの要求データ：
マイクロコンピュータ111は、圧縮機１２ａの駆動を開始する所定の起動条件になったときに、他のショーケース１に対して圧縮機起動データの要求データを送信する。また、他のショーケース１から圧縮機起動データの要求データを受信したときは、自己の圧縮機起動データを他のショーケース１に送信する。
【００５７】
(5) 時計合わせ要求データ：
マイクロコンピュータ111は、操作部１４から時計データが入力されたときに、入力された時計データに基づいてタイマ111bの計時する時計データを更新すると共に、この時計データを含む時計合わせ要求データを他のショーケース１に送信する。また、他のショーケース１から時計合わせ要求データを受信したときに、この受信した時計合わせ要求データに含まれる時計データに基づいてタイマ111bの計時する時計データを更新する。
【００５８】
また、マイクロコンピュータ111は、操作部１４から入力されたショーケース番号（ショーケースを順位付けする番号）をメモリ111aに記憶し、後述する圧縮機の同時起動防止処理に使用する。本実施形態では２台のショーケース１Ａ，１Ｂを連結して運転するので、一方のショーケース１Ａを１番（主局）他方のショーケース１Ｂを２番（従局）に設定している。
【００５９】
マイクロコンピュータ111は、他のショーケース１との間で上記(1)〜(5)のデータを通信することにより、圧縮機１２ａの同時起動を回避すると共に除霜運転を他のショーケースと同期して行い、他のショーケース１が除霜運転中には圧縮機１２ａを駆動しての冷却運転を行わないようにしている。その詳細に関しては後述する。
【００６０】
リレー駆動回路112は、マイクロコンピュータ111からの制御信号に基づいてリレー113,114のオン状態とオフ状態と切り換えて、リレー113をオン状態に設定することにより圧縮機１２ａを駆動し、リレー114をオン状態に設定することにより除霜ヒータ１３を駆動する。
【００６１】
通信回路117は、マイクロコンピュータ111の指示に基づいて、通信線４を介して他のショーケース１との間の通信を行う。
【００６２】
また、マイクロコンピュータ111は、操作部１４のスイッチのオンオフ信号を入力して時計合わせや設定切替の処理を行うと共に、操作部１４の表示器やＬＥＤの表示を行う。
【００６３】
操作部１４は、時計合わせスイッチ141と、設定切替スイッチ142、DOWNスイッチ143、UPスイッチ144、ＬＥＤ145、３桁の７セグメント文字表示器146とを備え、各スイッチ141〜144のオンオフ信号をマイクロコンピュータ111に出力すると共に、マイクロコンピュータ111から出力されたＬＥＤ点灯信号によってＬＥＤ145を点灯させると共に、信号をマイクロコンピュータ111から出力された表示信号によって文字表示器146に数字或いはアルファベットを表示する。
【００６４】
また、ショーケース１（１Ａ，１Ｂ）において、電源接続端子３ａ，３ｂはＡＣ電源２に接続されると共に、一方の電源接続端子３ｂは圧縮機１２ａの一方の電源接続端子と除霜ヒータ１３の一方の電源接続端子に接続され、他方の電源接続端子３ａはリレー113の接点とリレー114の接点に接続されている。
【００６５】
圧縮機１２ａの他方の電源接続端子はリレー113の接片に接続され、除霜ヒータ１３の他方の電源接続端子はリレー114の接片に接続されている。
【００６６】
通信回路117はマイクロコンピュータ111に接続されると共に通信用コネクタ３ｇに接続されている。
【００６７】
さらに、ショーケース１Ａとショーケース１Ｂとの間では、ショーケース１Ａの端子３ａ，３ｂがショーケース１Ｂの端子３ａ，３ｂに記述の順に接続され、通信用コネクタ３ｇ同士が通信線４を介して接続されている。
【００６８】
また、通信回路117間の通信に用いる信号は例えばＤＣ５Ｖ程度の低電圧の信号であるので、通信線４ないの各信号線としては０．３ｍｍ2程度の細線を用いている。
【００６９】
次に、前述の構成よりなるショーケースの連結運転方法について説明する。
【００７０】
通常の冷却運転を行っているときの庫内温度制御では、温度設定可変抵抗器１７によって設定された庫内設定温度と庫内温度を比較し、圧縮機１２ａの駆動をＯＮ／ＯＦＦする。このとき、マイクロコンピュータ111は、図３に示すように、圧縮機１２ａを１度起動すると、圧縮機ＯＮ遅延時間中は強制ＯＮとする。但し、圧縮機保護時は即時停止する。また、圧縮機を１度停止すると、圧縮機ＯＦＦ遅延時間中は強制ＯＦＦとする。
【００７１】
さらに、マイクロコンピュータ111は、ショーケース１ａ，１ｂにおける圧縮機１２ａの同時起動を防止する処理と相手方が除霜中のときの冷却待機処理を行う。
【００７２】
即ち、圧縮機１２ａを起動するときは、図４及び図５に示すように、他方のショーケース１の圧縮機との同時起動を防止するため、以下の手順で圧縮機の起動を行う。
【００７３】
（１）起動条件になったら、圧縮機起動データを「１」に設定して、他方のショーケース１に送信する。
【００７４】
（２）１回以上の通信を成功させた後、他方のショーケース１の圧縮機起動データを確認して、他方のショーケース１から受信した圧縮機起動データが「０」であれば圧縮機１２ａを起動する。
【００７５】
（３）上記（２）で他方のショーケース１の圧縮機起動データが「１」の場合は「０」になるのを待って圧縮機１２ａを起動する。
【００７６】
（４）上記（３）で他方のショーケース１から受信した圧縮機起動データが「１」の時間が１２ｓ間持続したときは、図５に示すように、主局側が圧縮機１２ａを起動する。これは、同時起動になったときの処置である。
【００７７】
（５）圧縮機１２ａを起動してから１０ｓ後に圧縮機起動データを「０」に設定して送信する。
【００７８】
さらに、マイクロコンピュータ111は、ショーケース１Ａ，１Ｂにおいて除霜同期運転を行い且つ、除霜中には圧縮機１２ａの運転を待機させるために、以下の手順で除霜運転を行うと共に圧縮機１２ａの起動を制御する。即ち、図６に示すように、他方のショーケースの除霜開始と共に除霜を開始する除霜同期運転を行うと共に、除霜終了後に他方のショーケースの除霜終了まで圧縮機１２ａの起動を待機する。
【００７９】
（１）自己の除霜開始時に、除霜開始データを「１」に設定すると共に除霜中データを「１」に設定して他方のショーケース１に送信する。このとき、他方のショーケース１から受信した除霜中データが「１」に設定されていたら除霜開始データを「０」に設定する。
【００８０】
（２）他方のショーケース１から受信した除霜開始データが「１」に設定されており且つ除霜中データが「１」に設定されているときは、自己の除霜ヒータ１３を駆動して除霜を開始する（除霜同期運転）。このとき、自己の除霜開始データは「０」のままとする。
【００８１】
（３）他方のショーケース１から受信した除霜中データが「１」に設定されていたら除霜開始データを「０」に設定する。
【００８２】
（４）除霜終了後に除霜中データを「０」に設定して他方のショーケースに送信すると共に、他方のショーケース１の除霜中データを確認し、他方のショーケースの除霜中データが「１」に設定されていたら、これが「０」になるまで（除霜終了まで）冷却運転（圧縮機１２ａの起動）を待機する。
【００８３】
また、除霜制御時においては、図７に示すように、最大除霜時間を経過する前に除霜復帰サーミスタ１６による検出温度が除霜復帰温度以上になったら、その時点で除霜終了とする。除霜復帰サーミスタ１６を使用しないように設定されているときは、最大除霜時間まで除霜制御を行う。除霜運転制御中は、圧縮機１２ａは非駆動状態に維持する。
【００８４】
除霜運転中に他のショーケース１から受信した除霜開始データが「１」に設定されているとき、或いは除霜運転中にタイマ111bの計時時間が除霜開始タイミングになったときには、新規の除霜制御には移行せず、現行の除霜制御を継続する。
【００８５】
次に、操作員によって操作部１４から時計データが入力されたときのマイクロコンピュータ111の時計データ設定処理及び停電時の時計データの待避処理、除霜開始時刻の判定処理に関して図８を参照して説明する。
【００８６】
操作部１４から時計データが入力されると、マイクロコンピュータ111は、入力された時計データをメモリ111内の時計カウンタメモリ201に設定して時計カウンタメモリ201の時計データを更新する（Ｓ１）と共に、この時計データを通信回路117を介して他のショーケース１に送信する（Ｓ２）。
【００８７】
尚、時計カウンタメモリ201は、タイマ111bによって所定時間ごと、例えば１分ごとに更新される。
【００８８】
また、通信回路117を介して他のショーケース１から時計データを受信する（Ｓ３）とこの受信した時計データをメモリ111a内の通信により受信した時計データメモリ202に記憶する（Ｓ４）と共に、この時計データをメモリ111内の時計カウンタメモリ201に設定して時計カウンタメモリ201の時計データを更新する（Ｓ５）。
【００８９】
停電時及び電源切断時には、時計カウンタメモリ201の時計データをメモリ111a内のＥＥＰＲＯＭ等の不揮発性メモリ203に書き込み（Ｓ６）、電源投入時に不揮発性メモリ203に書き込まれている時計データを読み出して、この時計データを時計カウンタデータメモリ201に設定する（Ｓ７）。
【００９０】
一方、マイクロコンピュータ111は、除霜開始時刻の判定を行う際、時計データカウンタメモリ201に格納されている時計データを参照して（Ｓ８）、除霜開始時刻の判定を行う（Ｓ９）。
【００９１】
前述したように、本実施形態によれば、ショーケース１Ａ，１Ｂの内の何れかのショーケース１が圧縮機１２ａを起動するときは、圧縮機起動データが「１（起動状態）」に設定されて他のショーケース１に送信され、他のショーケース１では圧縮機起動データが「０（非起動状態）」に設定されてから圧縮機１２ａが起動されるので、ショーケース１Ａ，１Ｂの圧縮機１２ａが同時に起動されることがない。これにより、圧縮機１２ａが起動された瞬間に商用電源２の負荷が従来例のように極度に大きくなることがないので、ブレーカーが遮断されたりヒューズが切れることがない。
【００９２】
また、２台のショーケース１Ａ，１Ｂの何れかの除霜ヒータ１３の駆動が開始されるときに除霜開始データが「１（開始状態）」に設定されると共に除霜中データが「１（除霜中状態）」に設定され、これらのデータを受信した他のショーケース１においても除霜ヒータ１３の駆動が開始される。さらに、ショーケース１Ａ，１Ｂの何れか一方の除霜ヒータ１３が駆動されて除霜運転が行われているときは、除霜中データが「１（除霜中状態）」に設定されているので、２台のショーケース１Ａ，１Ｂの双方において除霜運転が終了しない限り、何れのショーケース１Ａ，１Ｂにおいても圧縮機１２ａが駆動されることがない。
【００９３】
これにより、隣接された一方のショーケース１Ａ，１Ｂ内の除霜を行いながら他方のショーケース１Ａ，１Ｂで冷却運転を行うことがないため、従来例のような隣接されたショーケース１Ａ，１Ｂ間での熱伝導の影響による除霜効率の低下と冷却効率の低下を招くことがないので、無駄な電力を消費することがない。
【００９４】
また、ショーケース１Ａ，１Ｂ間で通信する各データは上記のように低電圧の信号で良いので、低電圧用の信号線を用いた通信線４による伝達が可能であるため、従来例のような高電圧用の太い配線を用いてショーケース間を接続する必要がない。
【００９５】
従って、従来例に比べて制御部１１の小型化が可能になる。さらに、従来例のように圧縮機１２ａ及び除霜ヒータ１３の高電圧の配線を他方のショーケース１へ接続する配線が不要になり、例えば信号線３本からなる通信線４を配線するだけで良いため、ショーケース１Ａ，１Ｂの内部配線及びショーケース１Ａ，１Ｂ同士の接続線が減少する。また、通信線４は低電圧回路のため絶縁耐圧が小さい細線を用いれば良いため配線処理を簡略化することができる。
【００９６】
また、従来例では、一方のショーケース１の時計合わせを行った場合は、他方のショーケース１の時計も同時に合わせなければならい煩雑さがあったが、本実施形態では、一方のショーケース１Ａ，１Ｂにおいて時計合わせが行われると、設定された時計データが他方のショーケース１Ａ，１Ｂに送信され、時計データを受信した他方のショーケース１Ａ，１Ｂにおいて、受信した時計データに基づいて時計回路の時計データの更新が自動的に行われるので、一方のショーケース１Ａ，１Ｂの時計データを設定することにより、２台以上のショーケース１Ａ，１Ｂにおける時計回路の時計データを同時に設定することができる。
【００９７】
尚、上記実施形態は本発明の一具体例であって、本発明は上記実施形態のみに限定されるものでないことは言うまでもない。
【００９８】
例えば、上記実施形態では２台のショーケース１Ａ，１Ｂを連結して運転する場合に関して説明したが、３台以上のショーケースを連結して運転する場合にも本発明を適用することにより同様の効果を得ることができる。
【００９９】
また、上記実施形態では除霜開始データを「１」にして送信した後、他のショーケースの除霜中データが「１」に設定されたのを確認した後に除霜開始データを「０」にして送信したが、除霜開始データを「１」にして送信してから他のショーケースが除霜運転を開始するのに十分な時間経過後に除霜開始データを「０」に設定して送信するようにしても良い。
【０１００】
また、上記実施形態では、除霜開始データを他のショーケースに送信することにより除霜運転の同期化を図ったが、除霜開始データを用いなくとも、各ショーケース１の時計データが一致しているので、予め設定されている除霜開始時刻に基づいて除霜運転を行う場合は除霜運転を同期させることができる。
【０１０１】
【発明の効果】
以上説明したように本発明によれば、２台以上のショーケースの内の何れかのショーケースが圧縮機を起動するときは圧縮機起動データが起動状態に設定されて他のショーケースに送信され、他のショーケースでは前記圧縮機起動データが非起動状態に設定されてから圧縮機が起動され、２台以上のショーケースの圧縮機が同時に起動されることがないため、圧縮機が起動された瞬間に商用電源の負荷が従来例のように極度に大きくなることがないので、ブレーカーが遮断されたりヒューズが切れることがない。
【０１０２】
また、２台以上のショーケースの何れかの除霜回路の駆動が開始されるときに除霜開始データが開始状態に設定されると共に除霜中データが除霜中に設定され、これらのデータを受信した他のショーケースにおいても除霜回路の駆動が開始され、さらに、前記２台以上のショーケースの何れかの除霜回路が駆動されているときは、前記除霜中データが除霜中状態に設定されており、全てのショーケースにおいて除霜が終了しない限り、何れのショーケースにおいても圧縮機が駆動されることがない。これにより、隣接された一方のショーケース内の除霜を行いながら他方のショーケースで冷却運転を行うことがないため、従来例のような隣接されたショーケース間での熱伝導の影響による除霜効率の低下と冷却効率の低下を招くことがないので、無駄な電力を消費することがない。
【０１０３】
また、ショーケース間で通信される各データは低電圧の信号で良いので、低電圧用の信号線による伝達が可能であるため、従来例のような高電圧用の太い配線を用いてショーケース間を接続する必要がない。これにより、従来例に比べて制御部の小型化が可能になると共に、従来例のように圧縮機及び除霜回路の高電圧の配線を他方のショーケースへ接続する必要がなくなり、ショーケースの内部配線及びショーケース同士の接続線を低減することができる。また、データ通信用の通信線は低電圧回路のため絶縁耐圧が小さい細線を用いれば良いため配線処理を簡略化することができるという非常に優れた効果を奏するものである。
【図面の簡単な説明】
【図１】  発明の一実施形態におけるショーケースの構成及びショーケース間の接続構成を示す図
【図２】  従来例におけるショーケースの構成及びショーケース間の接続構成を示す図
【図３】  本発明の一実施形態における庫内温度制御を説明するタイミングチャート
【図４】  本発明の一実施形態における圧縮機起動制御を説明するタイミングチャート
【図５】  本発明の一実施形態における圧縮機起動制御を説明するタイミングチャート
【図６】  本発明の一実施形態における除霜同期運転制御を説明するタイミングチャート
【図７】  本発明の一実施形態における除霜運転制御を説明するタイミングチャート
【図８】  本発明の一実施形態における時計データ設定処理を説明する図
【符号の説明】
１，１Ａ，１Ｂ…ショーケース、２…ＡＣ電源、３ａ，３ｂ…電源接続端子、３ｇ…通信用コネクタ、４…通信線、１１…制御部、１２…冷却回路、１２ａ…圧縮機、１３…除霜ヒータ（除霜回路）、１４…操作部、１５…温度調整用サーミスタ、１６…除霜復帰用サーミスタ、１７…温度設定用可変抵抗器、111…マイクロコンピュータ、111a…メモリ、111b…タイマ（時計回路）、112…リレー駆動回路、113,114…リレー、117…通信回路、141…時計合わせスイッチ、142…設定切替スイッチ、143…DOWNスイッチ、144…UPスイッチ、145…ＬＥＤ、146…７セグメント文字表示器、201…時計カウンタデータメモリ、202…不揮発性メモリ、203…通信より受信した時計データメモリ。
【図１】
0004152122.tif 000002
【図２】
0004152122.tif 000003
【図３】
0004152122.tif 000004
【図４】
0004152122.tif 000005
【図５】
0004152122.tif 000006
【図６】
0004152122.tif 000007
【図７】
0004152122.tif 000008
【図８】
0004152122.tif 000009